(57)【要約】【課題】極めて容易に、かつ、安定した状態で木製残存型枠に固定することができる木製残存型枠用の足場板支持部材を提供する。【解決手段】木製残存型枠１に固定される縦部材２３と、足場板２５を支持する水平部材２７とよりなり、該水平部材が該縦部材に対して角度調節可能になるように該水平部材の一端２７ａを該縦部材に取り付け、該縦部材には木製残存型枠における水平方向の木材５の直径よりも小さな上下方向の間隔を置いて多数の透孔４１を備えさせ、当該多数の透孔のうちの一部の透孔に固着具４３を挿通して水平方向の木材に打ち込むことにより該縦部材を木製残存型枠に固定するようにしたことを特徴とする木製残存型枠用の足場板支持部材。【選択図】図１
0003113722.tif 000002
【実用新案登録請求の範囲】
【請求項１】
木製残存型枠に固定される縦部材と、足場板を支持する水平部材とよりなり、
該水平部材が該縦部材に対して角度調節可能になるように該水平部材の一端を該縦部材に取り付け、
該縦部材には木製残存型枠における水平方向の木材の直径よりも小さな上下方向の間隔を置いて多数の透孔を備えさせ、当該多数の透孔のうちの一部の透孔に固着具を挿通して水平方向の木材に打ち込むことにより該縦部材を木製残存型枠に固定するようにしたことを特徴とする木製残存型枠用の足場板支持部材。
【請求項２】
木製残存型枠に固定される縦部材と、足場板を支持する水平部材とよりなり、
該水平部材が該縦部材に対して角度調節可能になるように該水平部材の一端を該縦部材に取り付け、
該縦部材には多数の透孔を上下方向に連続させた状態で形成し、当該多数の透孔のうちの一部の透孔に固着具を挿通して水平方向の木材に打ち込むことにより該縦部材を木製残存型枠に固定するようにしたことを特徴とする木製残存型枠用の足場板支持部材。
【考案の詳細な説明】
【技術分野】
【０００１】
本考案は、木製残存型枠用の足場板支持部材に関するものであり、更に詳しくは、木製残存型枠に取り付けられる足場板を支持する支持部材に係るものである。
【背景技術】
【０００２】
木製残存型枠は、例えば、土砂の崩壊防止用等のコンクリート構造物を形成する際にコンクリート打設用の型枠として用いられるものであり、コンクリートの硬化後も除去されることなく引き続き該コンクリート構造物の表面に残存させるようにしたものである。
【０００３】
木製残存型枠は、実用新案登録第３０９５３４２号公報により開示されているように、水平方向の間伐材を上下に積み重ねた状態で縦材に固定してなるものである。
【０００４】
木製残存型枠に足場板を取り付ける際には、一般に、支持枠を木製残存型枠に近接させた状態で地上に立設し、該支持枠を木製残存型枠に固定し、該支持枠上に足場板を載置するようにしている。以下、この支持枠を「従来の支持枠」という。
【特許文献１】実用新案登録第３０９５３４２号公報
【考案の開示】
【考案が解決しようとする課題】
【０００５】
しかるに、従来の支持枠は、地上に立設するものであるため、立設する前に地盤を整地しなければならないだけでなく、立設後に支持枠が傾くおそれもある。
【０００６】
本考案は、従来の支持枠における上述の如き問題を解決し、極めて容易に、かつ、安定した状態で木製残存型枠に固定することができる木製残存型枠用の足場板支持部材を提供しようとしてなされたものである。
【課題を解決するための手段】
【０００７】
上記課題を解決するために、本考案は、下記の木製残存型枠用の足場板支持部材を提供する。
【０００８】
（１）木製残存型枠に固定される縦部材と、足場板を支持する水平部材とよりなり、
該水平部材が該縦部材に対して角度調節可能になるように該水平部材の一端を該縦部材に取り付け、
該縦部材には木製残存型枠における水平方向の木材の直径よりも小さな上下方向の間隔を置いて多数の透孔を備えさせ、当該多数の透孔のうちの一部の透孔に固着具を挿通して水平方向の木材に打ち込むことにより該縦部材を木製残存型枠に固定するようにしたことを特徴とする木製残存型枠用の足場板支持部材（請求項１）。
【０００９】
（２）木製残存型枠に固定される縦部材と、足場板を支持する水平部材とよりなり、
該水平部材が該縦部材に対して角度調節可能になるように該水平部材の一端を該縦部材に取り付け、
該縦部材には多数の透孔を上下方向に連続させた状態で形成し、当該多数の透孔のうちの一部の透孔に固着具を挿通して水平方向の木材に打ち込むことにより該縦部材を木製残存型枠に固定するようにしたことを特徴とする木製残存型枠用の足場板支持部材（請求項２）。
【考案の効果】
【００１０】
［請求項１の考案］
水平部材は足場板支持部材の縦部材に対して角度調節可能であるため、該水平部材は木製残存型枠の傾斜の有無にかかわらず、常に水平状態に設定することができる。従って、該水平部材上に載置される足場板は常に水平状態となる。
【００１１】
木製残存型枠における水平方向の木材は、主として間伐材であるため、直径が種々に異なる。しかして、足場板支持部材の縦部材には水平方向の木材の直径よりも小さな上下方向の間隔を置いて多数の透孔が形成されているため、当該多数の透孔のうちの少なくとも一部の透孔は水平方向の木材の中心又は中心付近に位置する。従って、当該一部の透孔に固着具を挿通して水平方向の木材に打ち込むことにより縦部材を木製残存型枠に確実に固定することができる。
【００１２】
即ち、地盤を整地することなく、足場板支持部材を木製残存型枠に容易に、安定した状態で、かつ、効率良く取り付けることができる。
【００１３】
また、足場板支持部材は部品点数が少なく、安価に提供することができる。
【００１４】
［請求項２の考案］
足場板支持部材の縦部材には多数の透孔を上下方向に連続させた状態で形成してるため、当該多数の透孔のうちの少なくとも一部の透孔は水平方向の木材の中心又は中心付近に位置する。従って、当該一部の透孔に固着具を挿通して水平方向の木材に打ち込むことにより該縦部材を木製残存型枠に確実に固定することができる。
【００１５】
その他の点においては、請求項２の考案は、前記請求項１の考案と同様の効果を発揮することができる。
【考案を実施するための最良の形態】
【００１６】
まず、木製残存型枠について説明する。
【００１７】
本考案における木製残存型枠１は、縦材３と、上下に積み重ねた状態で該縦材３に固定した水平方向の木材５、５・・・とよりなる点においては、前記従来の木製残存型枠と共通している。
【００１８】
縦材３は、適宜の間隔を置いて地盤７に固定される。
【００１９】
水平方向の木材５は、例えば間伐材等の丸太が好ましく用いられるが、角材であっても差し支えない。
【００２０】
図１における符号１１に示すものは、コンクリートの硬化後に除去される型枠であり、符号１３に示すものは、地盤７に固定されたアンカーである。
【００２１】
縦材３は、タイ材１５、１７を介して型枠１１とアンカー１３とに連結される。
【００２２】
次に、足場板支持部材２１について説明する。
【００２３】
足場板支持部材２１は、木製残存型枠１に固定される縦部材２３と、足場板２５を支持する水平部材２７とよりなる。足場板支持部材２１は、所定の間隔を置いて複数個配設される。
【００２４】
縦部材２３と水平部材２７とは、それぞれ一例としてＬ型鋼により形成される。
【００２５】
水平部材２７が縦部材２３に対して角度調節可能になるように該水平部材２７の一端２７ａを該縦部材２３に取り付ける。
【００２６】
即ち、一例として、水平部材２７の一端２７ａを回動軸２９を介して縦部材２３の上端２３ａに該水平部材２７が上下方向に回動自在になるように取り付け、縦部材２３には多数の透孔３１、３１・・・を上下方向に備えさせ、アーム３３の一端３３ａを水平部材２７にアーム３３が上下方向に回動自在になるように枢着し、アーム３３の他端３３ｂを多数の透孔３１、３１・・・における所望の一つの透孔３１に選択的に取り付けることができるようになす。
【００２７】
図１、図２に示す事例においては、水平部材２７の他端２７ｂに上端を開口した筒状体３５を立設し、該筒状体３５に支柱３７を挿入し、該支柱３７に手摺杆３９を取り付けている。
【００２８】
縦部材２３には木製残存型枠１における水平方向の木材５の直径よりも小さな上下方向の間隔を置いて多数の透孔４１、４１・・・を備えさせる。図２、図３参照。多数の透孔４１、４１・・・は、好ましくは一定の間隔を置いて配設する。
【００２９】
当該多数の透孔４１、４１・・・のうちの一部の透孔４１に固着具４３を挿通して水平方向の木材５ａに打ち込むことにより該縦部材２３を木製残存型枠１に固定する。固着具４３としては、好ましくは、コーチスクリューが用いられる。
【００３０】
水平方向の木材５のうち、木材５ｂについてはその直径付近に位置する透孔４１が存在しないため、該木材５ｂには固着具４３が打ち込まれていない。
【００３１】
図４に示す事例においては、縦部材２３には多数の透孔４５、４５・・・を上下方向に連続させた状態で形成し、当該多数の透孔４５、４５・・・のうちの一部の透孔４５に固着具４３を挿通して水平方向の木材５ａに打ち込むことにより該縦部材２３を木製残存型枠１に固定している。
【００３２】
水平方向の木材５のうち、木材５ｂには固着具４３が打ち込まれていない。
【図面の簡単な説明】
【００３３】
【図１】木製残存型枠用の足場板支持部材の一例を示す側面図である。
【図２】木製残存型枠用の足場板支持部材を拡大して示す側面図である。
【図３】縦部材に形成された透孔の一例を示す正面図である。
【図４】縦部材に形成された透孔の別の一例を示す正面図である。
【符号の説明】
【００３４】
１  木製残存型枠
３  縦材
５  水平方向の木材
５ａ  水平方向の木材
５ｂ  水平方向の木材
７  地盤
１１  型枠
１３  アンカー
１５  タイ材
１７  タイ材
２１  足場板支持部材
２３  縦部材
２３ａ  上端
２５  足場板
２７  水平部材
２７ａ  一端
２７ｂ  他端
２９  回動軸
３１  透孔
３３  アーム
３３ａ  一端
３３ｂ  他端
３５  筒状体
３７  支柱
３９  手摺杆
４１  透孔
４３  固着具
４５  透孔
【図１】
0003113722.tif 000003
【図２】
0003113722.tif 000004
【図３】
0003113722.tif 000005
【図４】
0003113722.tif 000006